(57)【要約】      （修正有）【課題】撮影者が自ら取り込んだ画像に撮影ポイントを配置して撮影画像を貼り付けることができる、画像と位置情報を結合させた撮影システムを提供すること。【解決手段】全地球測位システムを利用して、撮影機付き携帯端末または撮影機および端末により地図や図などの画像を取り込んで表示させる過程と、前記表示させた画像の上に撮影ポイントを貼り付ける過程と、画像上の撮影ポイントの位置情報を特定する過程と、画像上の撮影ポイントの撮影物を撮影機付き携帯端末または撮影機により撮影する過程と、前記撮影物を撮影機付き携帯端末または端末内の電子情報蓄積部に格納する過程と、前記撮影物をインターネットなどの各種通信網を介して電子情報蓄積機に格納する過程と、前記電子情報蓄積機に格納された撮影物をコンピュータ端末のソフトウェアに取り込む過程及び表示させる。また、全地球測位システムを利用しないで実施する場合も含む。【選択図】      図２
2006148432.tif 000002
【特許請求の範囲】
【請求項１】
全地球測位システムを利用して、撮影機付き携帯端末または撮影機および端末により地図や図などの画像を取り込んで表示させる過程と、
前記表示させた画像の上に撮影ポイントを貼り付ける過程と、
画像上の撮影ポイントの位置情報を特定する過程と、
画像上の撮影ポイントの撮影物を撮影機付き携帯端末または撮影機により撮影する過程と、
前記撮影物を撮影機付き携帯端末または端末内の電子情報蓄積部に格納する過程と、
前記撮影物をインターネットなどの各種通信網を介して電子情報蓄積機に格納する過程と、
前記電子情報蓄積機に格納された撮影物をコンピュータ端末のソフトウェアに取り込む過程及び表示させる過程とを含むことを特徴とする画像と位置情報を結合させた撮影システム。
【請求項２】
請求項１に記載の画像と位置情報を結合させた撮影システムにおいて、
撮影者が自ら地図や自作地図などの画像を取り込んでその上に撮影ポイントを配置して撮影したり、あるいは撮影時点で全景、俯瞰などの撮影物を撮影し撮影した全景、俯瞰などの撮影物画像の上に撮影ポイントを貼り付け、撮影ポイントに対応させて撮影したりして、撮影ポイントに対応した撮影物を連結させることを特徴とする画像と位置情報を結合させた撮影システム。
【請求項３】
請求項１に記載の画像と位置情報を結合させた撮影システムにおいて、
全地球測位システムによる緯度経度などの平面的位置情報だけでなく、高度、撮影日時、撮影場所間の距離、単発写真・連続写真・映像などの種別、撮影者、撮影時注記など様々な情報を付加した、または情報の付加の可否を選択することのできることを特徴とする画像と位置情報を結合させた撮影システム。
【請求項４】
請求項１に記載の画像と位置情報を結合させた撮影システムにおいて、
撮影に移動するルート上において、一定あるいは任意の時間、距離など、または特定の事象物など複数の撮影ポイントを設定し、撮影した撮影物、時間、位置情報などを連結させることができることを特徴とする画像と位置情報を結合させた撮影システム。
【請求項５】
請求項１に記載の画像と位置情報を結合させた撮影システムにおいて、
あらかじめ設定された伝達ルートに従い自動的に情報を流通させるソフトウェア（ワークフローシステム）と連携させ、画像と位置情報を結合させた撮影システムから取り込んだ撮影物及び付加情報をあらかじめ設定された伝達ルートに従って自動的に流通させることができるようにした、
または様々なコンピュータソフトウェアと連携させて、画像と位置情報を結合させた撮影システムから取り込んだ撮影物及び付加情報を利用することができるようにしたことを特徴とする画像と位置情報を結合させた撮影システム。
【発明の詳細な説明】
【技術分野】
【０００１】
本発明は、画像と位置情報を結合させた撮影システムに関する。
【背景技術】
【０００２】
従来、全地球測位システムを利用して位置情報を取得し、地図業者が用意した地図上に撮影写真を配置するシステムは存在していた。しかし、撮影者が自ら地図や自作地図などの画像を取り込んでその上に撮影ポイントを配置したり、撮影者が自ら現場で全景、俯瞰などの撮影物を撮影し撮影した全景、俯瞰などの撮影物画像の上に撮影ポイントを配置したりして、撮影ポイントに対応する撮影物を貼り付けることができる画像と位置情報を結合させた撮影システムはなかった。そのため、災害場所で即座に俯瞰写真を撮影し、災害箇所のそれぞれに撮影ポイントを貼り付け、詳細の災害写真を貼り付けることで、災害状況を即座にインターネットなどを使って公開するということはできなかった。
【０００３】
また、撮影者が設計図や見取図などの画像を自ら取り込んでその設計図や見取図などの画像の上に撮影ポイントを配置して撮影し、撮影物を貼り付けることはできなかった。つまり、住宅建設現場で建設中の建物全体写真などをその場で取り込んで建物全体図の様々な撮影ポイントを設定し、細部の写真を貼り付けてインターネットなどで開示したり、また、販売店または各種店舗などの全体写真や俯瞰写真などをその場で取り込んで撮影ポイントを設定して細部を撮影して貼り付け、売場状況を即座にインターネットなどを通じて開示したりすることはできなかった。
【０００４】
さらに、たとえば産業廃棄物処理の問題において、産業廃棄物処理車両が現場から処理場へ向かうルート上で、処理車両が産業廃棄物を積み込む時点から、最終的に産業廃棄物処理場に到着する時点、産業廃棄物を廃棄する時点までの撮影物、時間、位置情報などを管理するようなしくみはなかった。
【０００５】
さらに、あらかじめ設定された伝達ルートに従い自動的に情報を流通させるソフトウェア（ワークフローシステム）と連携させ、画像と位置情報を結合させた撮影システムからリアルタイムにて写真や付加情報を供給させて、あらかじめ設定された伝達ルートに従って自動的に情報を流通させるようなことはできなかった。
【０００６】
従来はこれらの対処として、紙の地図上において災害場所に印をつけ別途写真アルバムを用意したり、紙の設計図面に写真を貼り付けたり、売場状況報告書に写真を貼って対応していた。写真自体はデジタルカメラ等にて撮影しても結局は印刷して、地図・設計図・売場見取図に添付する方法が一般的だった。また、携帯電話のデジタルカメラ機能を使って撮影したとしても、電子メールの添付として特定者に素材写真を送付するだけになり、即座にその撮影物を利用できるような分類整理された情報にはならなかった。
【発明の開示】
【発明が解決しようとする課題】
【０００７】
本発明は上記従来技術の課題に鑑みて、全地球測位システムを利用して、撮影機付き携帯端末または撮影機および端末によりあらかじめ用意された地図や図などの画像を取り込んで表示させ、その画像の上に撮影ポイントを貼り付け、画像上の撮影ポイントの位置情報を特定し、画像上の撮影ポイントの撮影物を撮影機付き携帯端末または撮影機により撮影し、撮影物を撮影機付き携帯端末または端末内の電子情報蓄積部に格納し、インターネットなどの各種通信網を介して電子情報蓄積機に格納し、コンピュータ端末のソフトウェアに取り込み表示させる画像と位置情報を結合させた撮影システムを提供することを必要とする。
【０００８】
従来の全地球測位システムを利用して位置情報を取得し地図業者が用意した地図上に撮影写真を配置するシステムは、地図業者が決めた地図に写真を配置することしかできないため、その場の状況に即した現場俯瞰写真や自作地図などによって臨場感を出すことはできなかった。特に災害などでは、全体の中の部分を即座に見ることが重要であり、地図業者があらかじめ用意した地図では的確な判断ができない場合も予測される。
【０００９】
さらに、建設や売場など現場が重視されるビジネスでは、全体像を把握してそれぞれの部分を表示させることが求められる。従来は、撮影者がその場で撮影した撮影物やあらかじめ用意しておいた設計図や現場見取図などをベースにして、その上に撮影ポイントを配置して撮影した撮影物を即座に貼り付けることができる撮影機付き携帯端末または撮影機および端末はなかったという問題もある。
【００１０】
また、ビジネスを含む全活動では活動を進めるための手順というものがあり、活動の現場で無作為に撮影した撮影物があっても、活動別、項目別、日付時間別、担当別などに分類し整理する必要があり不便であった。ビジネスを含む全活動において、撮影した撮影物を活動の手順に従って分類されたり、自動的に細目別に分類されたりできなかった。
【課題を解決するための手段】
【００１１】
上記課題を解決するため、全地球測位システムを利用して、撮影機付き携帯端末または撮影機および端末により地図や図などの画像を取り込んで表示させる過程と、前記表示させた画像の上に撮影ポイントを貼り付ける過程と、画像上の撮影ポイントの位置情報を特定する過程と、画像上の撮影ポイントの撮影物を撮影機付き携帯端末または撮影機により撮影する過程と、前記撮影物を撮影機付き携帯端末または端末内の電子情報蓄積部に格納する過程と、前記撮影物をインターネットなどの各種通信網を介して電子情報蓄積機に格納する過程と、前記電子情報蓄積機に格納された撮影物をコンピュータ端末のソフトウェアに取り込む過程及び表示させる過程とを含むことを特徴とする。
【００１２】
また、撮影者が自ら地図や自作地図などの画像を取り込んでその上に撮影ポイントを配置して撮影したり、あるいは撮影時点で全景、俯瞰などの撮影物を撮影し撮影した全景、俯瞰などの撮影物画像の上に撮影ポイント貼り付け、撮影ポイントに対応させて撮影したりして、撮影ポイントに対応した撮影物を連結させることを特徴とする。
【００１３】
また、全地球測位システムによる緯度経度などの平面的位置情報だけでなく、高度、撮影日時、撮影場所間の距離、単発写真・連続写真・映像などの種別、撮影者、撮影時注記など様々な情報を付加した、または情報の付加の可否を選択することのできることを特徴とする。
【００１４】
また、撮影に移動するルート上において、一定あるいは任意の時間、距離など、または特定の事象物など複数の撮影ポイントを設定し、撮影した撮影物、時間、位置情報などを連結させることができることを特徴とする。
【００１５】
さらに、あらかじめ設定された伝達ルートに従い自動的に情報を流通させるソフトウェア（ワークフローシステム）と連携させ、画像と位置情報を結合させた撮影システムから取り込んだ撮影物及び付加情報をあらかじめ設定された伝達ルートに従って自動的に流通させることができるようにした、または様々なコンピュータソフトウェアと連携させて画像と位置情報を結合させた撮影システムから取り込んだ撮影物及び付加情報を利用することができるようにしたことを特徴とする。
【発明の効果】
【００１６】
このように、本発明の画像と位置情報を結合させた撮影システムによれば、撮影者が自ら地図や自作地図などの画像を取り込んでその上に撮影ポイントを配置して撮影し、撮影物を貼り付けることができたり、また撮影者が設計図や見取図などの画像を自ら取り込んでその設計図や見取図などの画像の上に撮影ポイントを配置して撮影し、撮影物を貼り付けることができたり、また撮影者が現場で全景や俯瞰を撮影し、その撮影物の上に撮影ポイントを配置して細部の撮影物を貼り付けるということが可能になる。
また、たとえば産業廃棄物処理の問題において、処理車両がどこで産業廃棄物を積み込み時点から、最終的に産業廃棄物処理場に到着する時点までの撮影物及び撮影物に付帯する時間、位置情報などを管理するといったことも可能になる。
さらに、位置情報を含む各種情報と撮影物をインターネットなどの各種通信網を介して、電子情報蓄積機に格納し、コンピュータ端末から利用できるようにすることで、手間や時間をかけずに活動を進行させることができる。
【発明を実施するための最良の形態】
【００１７】
次に、本発明の実施するための最良の形態を図面に基づき説明する。
【００１８】
図１において、１０１は撮影物、１０２は撮影機付き携帯端末または撮影機及び端末、１０３は全地球測位衛星、１０４はインターネットなどの各種通信網、１０５は電子情報蓄積機、１０６はコンピュータ端末である。
【００１９】
全地球測位衛星１０３により、撮影機付き携帯端末または撮影機及び端末１０２にて位置情報を取得して撮影物１０１を撮影する。撮影物１０１は位置情報を含む各種情報と共に撮影機付き携帯端末または撮影機及び端末１０２内の電子情報蓄積部分に格納することができる。また、インターネットなどの各種通信網１０４を使って電子情報蓄積機１０５に格納することもできる。電子情報蓄積機１０５に格納された撮影物１０１及び位置情報を含む各種情報はコンピュータ端末１０６のソフトウェアに取り込み、活用したり表示したりできる。
【００２０】
図２は、本発明の実施形態についての流れ図である。撮影機付き携帯端末または撮影機及び端末１０２においては、撮影機付き携帯端末または撮影機及び端末側の操作手順２０１を行う。まず、撮影機付き携帯端末または撮影機及び端末１０２から各種手順を経て画像を選択して目的の画像を表示する。画像の撮影したいところに撮影ポイントを合せる。文字情報などのコメントを入力し、カメラを起動させる。全地球測位システムにより位置情報を取得し、撮影を行う。位置情報を含む各種情報と撮影画像を、インターネットなどの各種通信網１０４によって、電子情報蓄積機１０５に格納する。
【００２１】
コンピュータ端末１０６側では、あらかじめ設定された伝達ルートに従い自動的に情報を流通させるソフトウェアであるワークフローや撮影物表示など様々なコンピュータ端末側のソフトウェア２０２が起動されている。
【００２２】
コンピュータ端末１０６側では、撮影機付き携帯端末または撮影機及び端末１０２で撮影された撮影物を、インターネットなどの各種通信網１０４を介して電子情報蓄積機１０５から、自動的にまたは手動にて取り出し、コンピュータ端末側のソフトウェア２０２にて利用できるように連携されている。
【実施例】
【００２３】
図3は本発明における実施形態の詳細説明図である。撮影機付き携帯端末または撮影機及び端末１０２において、地図などの画像３０１ａを表示させて撮影ポイント画像を配置し、全地球測位衛星１０３により位置情報を取得し、撮影物１０１ａ〜１０１ｃを撮影する。
【００２４】
画像の拡大図３０１ｂにて説明すると、画像３０１ｂの上に、撮影物１０１ａに対応する撮影ポイント１０１ａ−ｐを配置する。同じように１撮影物１０１ｂ、１０１ｃに対応する撮影ポイント１０１ｂ−ｐ、１０１ｃ−ｐを配置し、撮影物１０１ａ〜１０１ｃを撮影する。位置情報を含む各種情報と撮影画像は、インターネットなどの各種通信網１０４を介して電子情報蓄積機１０５に格納される。
【００２５】
コンピュータ端末１０６側では、撮影機付き携帯端末または撮影機及び端末１０２にて撮影されインターネットなどの各種通信網１０４を介して電子情報蓄積機１０５に格納された位置情報を含む各種情報と撮影画像を、撮影コンピュータ端末側のソフトウェアの表示画面例３０２〜３０５に示すように、自動的または手動にて取り込んで活用、表示させることができる。撮影コンピュータ端末側のソフトウェアの表示画面例３０２〜３０５は、全情報（３０２）から、情報Ａ（３０３）、情報B（３０４）、情報C（３０５）、次の処理に自動的に情報流通させるワークフローのソフトウェアにて活用した例である。３０２〜３０５の各画面では、撮影機付き携帯端末または撮影機及び端末１０２で撮影ポイント１０１ａ−ｐ〜１０１ｃ−ｐに対応した撮影物１０１ａ〜１０１ｃが撮影ポイント画像３０１ｃ〜３０１ｆと共に取り込まれ表示されている。
【００２６】
図4は、本発明における画像と撮影ポイント及び撮影物に関する説明図である。撮影物（全景）４０１を撮影し、画像４０２として撮影ポイントの丸点画像４０４ａ〜４０４ｃを貼り付ける画像とする。撮影ポイントの丸点画像４０４ａ〜４０４ｃを画像４０２に貼り付けたものを撮影画像に撮影ポイントを貼り付けた状態４０３に示している。
【００２７】
撮影ポイントの丸点画像４０４ａに対応する撮影物１０１ａは、撮影されて撮影画像４０５ａとして撮影機付き携帯端末または撮影機及び端末に取り込まれる。同じく、撮影ポイントの丸点画像４０４ｂ、４０４ｃに対応する撮影物１０１ｂ、１０１ｃは、撮影されて撮影画像４０５ｂ、４０５ｃとして撮影機付き携帯端末または撮影機及び端末の電子情報蓄積部分に取り込まれる。
【産業上の利用可能性】
【００２８】
本発明の画像と位置情報を結合させた撮影システムによれば、災害地の航空写真や地図などを画像として取り込み、その上に災害にあった場所の写真を取り込んで、インターネットなどの通信網を使って電子情報蓄機に格納することにより、即座に災害箇所やその状況を撮影者が用意した航空写真や簡易地図などと共に写真、映像、各種情報を開示することができる。
また、建設や売場など現場が重視されるビジネスでは、全体像を把握してそれぞれの部分を表示させることが求められる。撮影者がその場で撮影した撮影物やあらかじめ用意しておいた設計図や現場見取図などをベースにして、その上に撮影ポイントを配置して撮影した撮影物を即座に貼り付けることにより、社内や顧客などにほぼリアルタイムで業務の様子を開示することができるようになる。その他、廃棄物処理、ビルメンテナンス、道路メンテナンス、電線などのライフラインメンテナンス、地域景観、環境保護など様々な領域にて利用できる。
【図面の簡単な説明】
【００２９】
【図１】本発明における実施形態の全体構成図。
【図２】本発明における実施形態の流れ図。
【図３】本発明における実施形態の詳細説明図。
【図４】本発明における画像と撮影ポイント及び撮影物に関する説明図。
【符号の説明】
【００３０】
１０１                撮影物
１０１ａ〜１０１ｃ    撮影物
１０１ａ−ｐ          撮影ポイント
〜１０１ｃ−ｐ    
１０２                撮影機付き携帯端末または撮影機及び端末
１０３                全地球測位衛星
１０４                インターネットなどの各種通信網
１０５                電子情報蓄積機
１０６                コンピュータ端末
２０１                撮影機付き携帯端末または撮影機及び端末側の操作手順
２０２                コンピュータ端末側のソフトウェア
３０１ａ              画像（撮影機付き携帯端末または撮影機及び端末内での表示）
３０１ｂ              画像の拡大図
３０１ｃ〜３０１ｆ    画像（コンピュータ端末内での表示）
３０２〜３０５        撮影コンピュータ端末側のソフトウェアの表示画面例
４０１                撮影物（全景）
４０２                画像
４０３                撮影画像に撮影ポイントを貼り付けた状態
４０４ａ〜４０４ｃ    撮影ポイントの丸点画像
４０５ａ〜４０５ｃ    撮影画像
【図１】
2006148432.tif 000003
【図２】
2006148432.tif 000004
【図３】
2006148432.tif 000005
【図４】
2006148432.tif 000006